(57)【要約】【課題】  現場対応性と製作性の向上を図ることができるとともに、使い勝手や取扱い性の良好な充填材支持金具を提供する点にある。【解決手段】躯体Ｂに貫通形成されている挿通孔Ｂ１を横断する状態で、該挿通孔Ｂ１の内面とこれに挿通された挿通体Ｃとの間に充填される防火用の充填材Ｄを受止める受止め部１と、これの両端から挿通孔Ｂ１の貫通軸線方向に沿って延設される脚部２と、少なくとも一方の脚部２先端から挿通孔Ｂ１の開口縁に係止可能な掛止め部３から構成され、前記受止め部１の長手方向の複数箇所には、長手方向に対して交差する方向に沿って塑性変形可能な脆弱部５が形成されている。【選択図】        図９
2007255073.tif 000002
【特許請求の範囲】
【請求項１】
躯体に貫通形成されている挿通孔を横断する状態で、該挿通孔の内面とこれに挿通された挿通体との間に充填される防火用の充填材を受止める受止め部と、これの両端から挿通孔の貫通軸線方向に沿って延設される脚部と、少なくとも一方の脚部先端から挿通孔の開口縁に係止可能な掛止め部から構成されている金属製の充填材支持金具であって、
前記受止め部の長手方向の複数箇所には、長手方向に対して交差する方向に沿って塑性変形可能な脆弱部が形成されている充填材支持金具。
【請求項２】
躯体に貫通形成されている挿通孔を横断する状態で、該挿通孔の内面とこれに挿通された挿通体との間に充填される防火用の充填材を受止める受止め部と、これの両端から挿通孔の貫通軸線方向に沿って延設される脚部と、少なくとも一方の脚部先端から挿通孔の開口縁に係止可能な掛止め部から構成されている金属製の充填材支持金具であって、
前記脚部の長手方向の複数箇所には、長手方向に対して交差する方向に沿って塑性変形可能な脆弱部が形成されている充填材支持金具。
【請求項３】
前記脚部の長手方向の複数箇所には、長手方向に対して交差する方向に沿って塑性変形可能な脆弱部が形成されている請求項１記載の充填材支持金具。
【請求項４】
前記脚部と掛止め部との境界には、各長手方向に交差する方向に沿って塑性変形可能な脆弱部が形成されている請求項１〜３のいずれか１項に記載の充填材支持金具。
【請求項５】
前記受止め部と脚部との境界には、各長手方向に対して交差する方向に沿って塑性変形可能な脆弱部が形成されている請求項１〜４のいずれか１項に記載の充填材支持金具。
【請求項６】
前記脆弱部が、貫通孔を形成することにより構成されている請求項１〜５のいずれか１項に記載の充填材支持金具。
【請求項７】
掛止め部の基端部は、脚部の先端よりも掛止め部が受止め部側に変位するように、脚部及び掛止め部に対して傾斜姿勢に構成されている請求項１〜６のいずれか１項に記載の充填材支持金具。
【発明の詳細な説明】
【技術分野】
【０００１】
本発明は、躯体に貫通形成されている挿通孔の内周面とこれに挿通された挿通体との間の充填される防火用充填材を受止め支持する防火用充填材支持金具に関する。
【背景技術】
【０００２】
従来の充填材支持金具１００は、図２４に示すように、挿通孔Ｂ１の開口縁に係止且つ止着可能な鍵状の掛止め部１０１の基端に、挿通孔の内面に対応する挿通孔軸線方向に沿う脚部１０２とこれの先端から挿通孔Ｂ１に延出する舌片部１０３が一体形成された断面形状がＬ字状の一対の基礎台１０４を備え、これら基礎台１０４の舌片部１０３に差し込み可能な断面コ字状の溝１０５ａが形成された挿通孔を横断可能な長さの受止め部１０５を備えて構成されている。
この充填材支持金具１００は、受止め部１０５の両端から基礎台の舌片部を挿入する状態で、挿通孔Ｂ１の開口側から装着することによって、挿通孔Ｂ１に充填される防火用充填材Ｄを支持可能に構成されている。この従来例の特許文献に該当するものを見出せなかった。
【発明の開示】
【発明が解決しようとする課題】
【０００３】
しかしながら、このような充填材支持金具１００は、装着する挿通孔Ｂ１の大きさに対応する複数種類の長さを備えた受部を揃えることで、各大きさの異なる挿通孔に対応して装着が可能になる商品構成であるため、施工現場で挿通孔の横断長さに対応する長さの受部を用いる必要があり施工現場での対応性が悪い問題がある。
また、受部においては、断面コ字状に加工されている点などにおいて製作コストの高い組付け部品を用いる構成になっており、コスト性が悪い問題がある。
また、この従来の充填材支持金具においては、施工現場において、一対の基礎台と受台をネジ止めなどによって一体に組立てる必要があり組立て手間や、それらの組立て部品が揃った状態で組立てる必要があり取扱い性が悪い問題がある。
加えて、この従来の充填材支持金具においては、挿通孔の貫通軸線方向に沿う長さが異なる場合、それに対応する長さに形成された脚部を備えた組立て部品である基礎部を用いる必要があるため、施工時の現場対応性が悪い問題が指摘されている。
【０００４】
本発明は上記の事情に鑑みてなされたものであり、その目的とするところは、現場対応性と製作性の向上を図ることができるとともに、使い勝手や取扱い性の良好な充填材支持金具を提供する点にある。
【課題を解決するための手段】
【０００５】
本発明の第１番目の充填材支持金具の特徴構成は、躯体に貫通形成されている挿通孔を横断する状態で、該挿通孔の内面とこれに挿通された挿通体との間に充填される防火用充填材を受止める受止め部と、これの両端から挿通孔の貫通軸線方向に沿って延設される脚部と、少なくとも一方の脚部先端から挿通孔の開口縁に係止可能な掛止め部から構成されている金属製の充填材支持金具であって、前記受止め部の長手方向の複数箇所には、長手方向に対して交差する方向に沿って塑性変形可能な脆弱部が形成されている点にある。
【０００６】
このような構成によれば、少なくとも３箇所の脆弱部を塑性変形して受止め部を折り曲げ状態又は折畳み状態に変形することによって、受止め部の両端に設けられた脚部同士の間隔を折り曲げ前に比べて短くすることができる。
そのため、当該充填材支持金具の装着対象である挿通孔の横断長さが、受止め部の長さよりも小である場合、挿通孔の横断寸法に対応する長さに受止め部を折り曲げ状態又は折畳み状態に変形操作することによって、装着対象である挿通孔の横断寸法に対応する長さに変更操作することができる。
また、受止め部に脆弱部が直接に形成されているので、部品点数少なく受止め部の長さ寸法が変形可能な充填材支持金具を形成することができる。
【０００７】
従って、装着対象である挿通孔の横断長さに対応する受止め部を備えた組立て部品を用いなければならないとともに、施工現場で複数の部品を組立てる必要があった従来の充填材支持金具に比べて、施工現場の挿通孔の横断長さに対応する間隔に長さ変更することができるので、使い勝手や取扱い性が良くこの種充填材支持金具の施工現場での施工対応性の向上を図ることができる。
また、従来の充填材支持金具に比べて、例えば、板金など同一の素地から受止め部及び掛止め部を一体形成することも可能な構成であるので、コスト的に安価に製作することができる。
さらに、該充填材支持金具の受止め部が横断する途上に挿通体が挿通されて装着できない場合、適宜箇所の脆弱部を切断状態にして充填材支持金具を２分割にすることができるので、その分割された充填材支持金具を挿通孔に片持ち状態に装着することができる。
【０００８】
本発明の第２番目の充填材支持金具の特徴構成は、躯体に貫通形成されている挿通孔を横断する状態で、該挿通孔の内面とこれに挿通された挿通体との間に充填される防火用充填材を受止める受止め部と、これの両端から挿通孔の貫通軸線方向に沿って延設される脚部と、少なくとも一方の脚部先端から挿通孔の開口縁に係止可能な掛止め部から構成されている金属製の充填材支持金具であって、
前記脚部の長手方向の複数箇所には、長手方向に対して交差する方向に沿って塑性変形可能な脆弱部が形成されている点にある。
【０００９】
このような構成によれば、少なくとも２箇所の脆弱部を塑性変形して脚部を折り曲げ状態又は折畳み状態に変形することによって、脚部の長手方向の長さを折り曲げ前に比べて短くすることができる。
そのため、当該充填材支持金具の装着対象である挿通孔の貫通軸線方向に沿う長さが、脚部の長手方向の長さ寸法よりも小である場合、挿通孔の貫通軸線方向に沿う長さに対応する長さに受止め部を折り曲げ状態又は折畳み状態に変形操作することによって、装着対象である挿通孔の挿通孔の貫通軸線方向に沿う長さに対応する長さに変更操作することができる。
【００１０】
従って、装着対象である挿通孔の貫通軸線方向に沿う長さに対応する長さに形成されている脚部を備えた組立て部品を用いなければならないとともに、施工現場で複数の部品を組立てる必要があった従来の充填材支持金具に比べて、施工現場の挿通孔の挿通孔軸線に沿う長さに臨機に対応して変更することができるので、使い勝手や取扱い性が良くこの種充填材支持金具の施工現場での施工対応性の向上を図ることができる。
また、例えば、板金など同一の素地から受止め部及び掛止め部を一体形成することも可能な構成であるので、コスト的に安価に製作することができる。
【００１１】
本発明の第３番目の充填材支持金具の特徴構成は、前記脚部の長手方向の複数箇所には、長手方向に対して交差する方向に沿って塑性変形可能な脆弱部が形成されている点にある。
【００１２】
このような構成によれば、少なくとも３箇所の脆弱部を塑性変形して受止め部を折り曲げ状態又は折畳み状態に変形することによって、受止め部の両端に設けられた脚部同士の間隔が折り曲げ前に比べて短くすることができることができる、また、少なくとも３箇所の脆弱部を塑性変形して脚部を折り曲げ状態又は折畳み状態に変形することによって、脚部の長手方向の長さを折り曲げ前に比べて短くすることができる。
このことによって、少なくとも挿通孔の横断寸法又は挿通孔の貫通軸線に沿う方向の長さ寸法の何れかが、対応する充填材支持金具の受止め部の長手方向に沿う長さ又は脚部の貫通軸線に沿う長さよりも短い場合、それに対応する受止め部の長手方向に沿う長さ又は脚部の貫通軸線に沿う長さを対応して変更することができる。
従って、施工現場において挿通孔の横断寸法、挿通孔の貫通軸線方向に沿う長さに適正に対応する充填材支持金具を挿通孔に装着することができるので、より現場対応性に優れ、施工性の向上を図ることができる。
【００１３】
本発明の第４番目の充填材支持金具の特徴構成は、前記脚部と掛止め部との境界には、各長手方向に交差する方向に沿って塑性変形可能な脆弱部が形成されている点にある。
【００１４】
このような構成によれば、例えば、予めに脚部と受止め部との境界を機械加工によって折り曲げ加工された充填材支持金具を商品形態として形成しておくことによって、施工現場において、脚部と掛止め部との境界に形成された脆弱部を選択的に塑性変形して折り曲げることができる。
【００１５】
従って、例えば、躯体の壁面或いは床面に、挿通孔の一内面が面一に連続形成されているような変則的な挿通孔の場合には、面一側に対応する一方の掛止め部を壁面或いは床面に沿うように脚部に対して折り曲げない状態とし、他方の掛止め部を対応する脆弱部を塑性変形して脚部に対して外側に折り曲げる状態にして、挿通孔に装着可能にすることができる。
また、壁や床に貫通した孔として形成された一般的な挿通孔の場合には、両方の掛止め部を対応する脆弱部を塑性変形して脚部に対して外側に折り曲げて、挿通孔に装着可能にすることができる。
このことにより、施工現場の挿通孔の形態に対応する充填材支持金具を形成することができ、予めに両方の掛止め部が外側に折り曲げ形成された充填材支持金具に比べて、一般的な挿通孔に対応して使用することができても、壁面や床面と挿通孔の一内面が面一に形成された変則的な挿通孔には、これに対応する支持金具しか使用することができないといったことがないので、施工対応性に優れた充填材支持金具を形成することができる。
【００１６】
本発明の第５番目の充填材支持金具の特徴構成は、前記受止め部と脚部との境界には、各長手方向に対して交差する方向に沿って塑性変形可能な脆弱部が形成されている点にある。
【００１７】
このような構成によれば、充填材支持金具を予めに平板状に形成しておくことによって、施工現場で脚部と掛止め部との境界及び脚部と掛止め部との境界に形成された脆弱部を選択的に塑性変形して折り曲げることができる。
従って、脚部と掛止め部との境界及び脚部と掛止め部との境界が予めに折り曲げ加工された支持金具に比べて、多数枚の充填材支持金具をコンパクトに取扱うことができるので、この種商品の在庫スペースの縮小化や、運搬に活性化や効率化の向上を図ることができる。
しかも、施工現場においては、脚部と受止め部との境界、脚部と掛止め部との境界に形成された脆弱部を選択的に塑性変形して挿通孔に装着可能に折り曲げることによって、現場の前記一般的な挿通孔にも前記変則的な挿通孔にも対応した充填材支持金具を形成することができるので、施工性の向上を図ることができる。
【００１８】
本発明の第６番目の充填材支持金具の特徴構成は、前記脆弱部が、貫通孔を形成することにより構成されている点にある。
【００１９】
このような構成によれば、挿通孔といった簡単な孔加工によって脆弱部を形成することができる。
従って、製作が簡単で製作コスト性の向上を図ることができる。
【００２０】
本発明の第７番目の充填材支持金具の特徴構成は、掛止め部の基端部は、脚部の先端よりも掛止め部が受止め部側に変位するように、脚部及び掛止め部に対して傾斜姿勢に構成されている点にある。
【００２１】
このような構成によれば、例えば、受止め部に形成された対応する脆弱部を塑性変形して切断して充填材支持金具を２分割して、床に形成された挿通孔の開口縁に分割された支持金具が挿通孔の開口縁に係止する掛止め部によって挿通孔内に受止め部が配置される、所謂、片持となった装着状態で用いた場合、受止め部の荷重によって掛止め部が開口縁から滑りやすい状態にあり、施工中に手が接触する等の不意の外力を受けると支持金具が挿通孔に滑り落ちたりするようなことが生じやすい傾向があるのを、掛止め部の基端部が傾斜姿勢に構成することによって、掛止め部の先端が受止め部の荷重を集中的に支持して開口縁から滑り難い状態を形成することができる。
【００２２】
従って、特に、２分割された充填材支持金具として用いた場合において、挿通孔に仮止め状態にした状態で不意の外力が加わって挿通孔に滑り落ちるようなことを防止することができるので、施工性の向上を図ることができる。
【発明を実施するための最良の形態】
【００２３】
以下、本発明の充填材支持金具の一実施例を図面に基づいて説明する。
［第１実施形態］
図１〜図１３に示す防火用の充填材支持金具Ａは、例えば、躯体Ｂに貫通形成されている断面矩形又は略矩形状の床孔である挿通孔Ｂ１の内周面とこれに挿通された挿通体Ｃとの間に防火用の充填材Ｄを受止め支持するのに用いられる。
【００２４】
この第１実施形態において防火用の充填材支持金具Ａとして、躯体Ｂの床孔である挿通孔Ｂ１に対して、例えば、架台Ｃ２に多数の空調配管Ｃ１ａを集結させた配管類群Ｃ１から構成された挿通体Ｃが挿通される、挿通孔Ｂ１内面と、この挿通孔Ｂ１に挿通される挿通体Ｃの露出する外面との隙間Ｓに充填される防火用の充填材Ｄを支持する２種類の第１充填材支持金具Ａ１と第２充填材支持金具Ａ２について説明する。
【００２５】
前記挿通体Ｃの構成部材である空調配管Ｃ１ａは、空調機の室内機と室外機とを配管する、送り配管、戻り配管、ドレン配管、制御ケーブルからなる配管であり、送りと戻りの両配管は、中心の金属管の周りに合成樹脂からなる断熱層を肉厚に被覆した管構造になっている。ここで、ドレン配管、制御ケーブルは図示していない。
【００２６】
前記挿通体Ｃの構成部材である架台Ｃ２は、図１に示すように、配管類群Ｃ１の配管経路に沿って設けられるものであり、配管経路に沿って間隔をあけて配管類群Ｃ１を担架する桟状の載台Ｃ２ａと、これの両端に配置された側板Ｃ２ｂとから構成されている。
【００２７】
前記第１充填材支持金具Ａ１は、本発明を適用したものであり、挿通孔Ｂ１の長辺方向中間部に対して開口側から装着され、前記第２充填材支持金具Ａ２は、挿通孔Ｂ１の長辺方向両側部に対して開口側から夫々装着されている。
【００２８】
前記第１充填材支持金具Ａ１は、躯体Ｂに貫通形成されている挿通孔Ｂ１を横断する状態で、該挿通孔Ｂ１の内面Ｂａとこれに挿通された挿通体Ｃとの間に充填される防火用の充填材Ｄを受止める受止め部１１と、これの両端から挿通孔Ｂ１の貫通軸線方向に沿って延設される脚部２と、（少なくとも一方）両方の脚部２先端から挿通孔Ｂ１の開口縁に係止可能な掛止め部３から構成されている。
【００２９】
前記掛止め部３６Ｂには、コンクリートネジｂなどを用いて躯体Ｂに固定可能なネジ受孔３ａが形成されている。
【００３０】
この第１充填材支持金具Ａ１は、板金から打抜き加工された一枚の金属製の板体であり、前記受止め部１の長手方向の複数箇所には、長手方向に対して交差する方向に沿って塑性変形可能な脆弱部５が形成され、脆弱部５に沿って受止め部１を折り曲げ又は破断分離可能に構成されている。
【００３１】
この脆弱部５は、例えば、簡易なプレス加工等によって貫通孔５ａの孔開け加工と一緒に形成され、防火用の充填材Ｄの支持に十分で且つ人的な折り曲げ操作が可能に設定されている。
【００３２】
この脆弱部５は、例えば、図１、図２に示すように、受止め部１の長手方向に対して交差する方向に沿って一対の長方形状の貫通孔５ａを横並びに形成することにより、貫通孔５ａ間に形成される幅狭な板部１ｂと、各貫通孔５ａと受止め部１の長手方向に交差する端部に外側に向けて開口された切欠５ｃとの間に形成される幅狭な板部１ｂとから構成されて、この脆弱部５と異なる他の受止め部部分よりも塑性変形しやすい構造になっている。
【００３３】
また、受止め部１と脚部２との境界ｃ、及び、脚部２と掛止め部３との境界ｄには、夫々長手方向に対して交差する方向に沿って塑性変形可能な脆弱部５が形成されている。
この脆弱部５は、夫々境界に沿って、一対の長方形状の貫通孔５ａを横並び形成することにより、貫通孔５ａ間に形成される幅狭な板部５ｄと、各貫通孔５ａと受止め部１の長手方向に交差する端部に外側に向けて開口された切欠５ｂとの間に形成される幅狭な板部５ｄとから構成されて、この脆弱部５と異なる他の受止め部部分よりも塑性変形しやすい構造になっており、受止め部１と脚部２との境界ｃ、及び、脚部２と掛止め部３との境界ｄを折り曲げ可能に構成されている。
【００３４】
一方、前記各第２充填材支持金具Ａ２は、挿通孔Ｂ１の短辺側内面Ｂｂと両長辺側内面Ｂｃに沿って略コの字状に形成され、かつ、挿通孔Ｂ１の入隅に対応する両角部が湾曲形成されている充填材用受止め部１０と、該受止め部１０の複数箇所から延出された挿通孔Ｂ１の開口縁に係止固定可能な掛止め部１１から構成されている。
【００３５】
また、前記各第２充填材支持金具Ａ２の充填材用受止め部１０の両長辺側部分１０ａには、挿通体Ｃ側に向かって突設する支持片１０ｂが形成されている。
【００３６】
前記支持片１０ｂは、充填材用受止め部１０の両長辺側部分１０ａにおける湾曲角部１０ｃ側に変位した部位に形成されている。
【００３７】
この第２充填材支持金具Ａ２は、例えば、打ち抜き加工によって、鋼板から展開状態の充填材用受止め部１０と掛止め部３１を板状に打ち抜いた後、充填材用受止め部１０に対して各掛止め部１１を直角に曲げ起して形成されたり、又は、予めに、分離形成された、充填材用受止め部１０に対して、鍵状に折り曲げ形成された掛止め部１１に設けた溶接代をスポット溶接等によって一体接合したりして形成されている。
【００３８】
前記支持金具Ａ２の掛止め部１１は、充填材用受止め部１０の両長辺側部分１０ａの先端と短辺側部分１０ｄの短辺方向中央部位の三箇所に設けられている。この支持金具Ａ２の掛止め部１１は、断面倒立Ｌ字状で挿通孔Ｂ１の開口縁に係止可能で、コンクリートネジｂなどを用いて躯体Ｂに固定可能なネジ受孔１１ａが形成されている。
【００３９】
各支持金具１における充填材用受止め部１０の湾曲角部１０ｃの３箇所には、内方側に向かって開口するＵ字形の切込み１２が形成されている。この切込み１２によって、例えば、切込み１２の両側の部分を挟み持って、切込み１２の開口が開く方向又は閉じる方向に開閉操作することができることを利用して、適宜の切込み１２の開き操作又は閉じ操作を調節することによって、挿通孔Ｂ１の短辺側内面Ｂｂと両長辺側内面Ｂｃに沿って略コの字状に充填材用受止め部１０を形態変形することができる。
【００４０】
この実施形態の防火用の充填材Ｄは、例えば、図６に示すように、複数の大きさの種類に対応した不燃性ブロックに対して、この不燃性ブロック２０の長さに対応する幅を有して長尺な熱膨張性耐火材シート２１を２層状態に巻装して一纏り状態となった被収容物を、不織布等から形成した夫々に対応する大きさの袋体２２に閉じ込め状態に収容して構成されている。ここで、防火用の充填材Ｄは、上記構成に限るものではなく、例えば、袋体２２に対して、熱膨張性耐火材を粒状にした集合体と、熱耐火材を粒状にした集合体を混合状態で収納する構成であっても、袋体２２に対して、パテ状の熱膨張性耐火材を粒状にした集合体と収納する構成であっても、袋体２２に対して多数枚の熱膨張性耐火材シートの積層体を収納する構成、パテ状の熱膨張性耐火材を直接に用いる構成等であってもよい。また、この実施形態においては、小さな隙間の充填には切断した熱膨張性耐火材シート２１や積層した熱膨張性耐火材シート２１を充填して、挿通孔Ｂ１を閉塞可能に構成されている。
【００４１】
第１充填材支持金具Ａ１は、受止め部１に形成された脆弱部５を塑性変形して受止め部１を折り曲げることによって、対向する脚部２間の間隔Ｌ１を折り曲げる前よりも短く長さ変更することができる。
具体的には、例えば、図８に示すように、隣り合う3つの脆弱部５を用いて、両外側の脆弱部５を谷部とし中央の脆弱部５を山部として三角形状に受止め部１を折り曲げる状態、図９に示すように、この状態から谷部である両外側の脆弱部５を当接して折畳み状態にし、その折畳み部分を残りの受止め部１に重なるように折り曲げた状態、及びそれらを組合せた折り曲げ状態にすることによって受止め部１の長さを短寸化して対向する脚部２間の間隔Ｌ１を折り曲げる前よりも短く長さ変更することができる。
【００４２】
また、前記図８の場合、山折りの折り曲げ高さを変更することによって、受止め部１の長さを変更して、防火用の充填材支持金具Ａ１の対向する脚部２の間隔Ｌ１を伸縮調整することができる。
【００４３】
このような構成にすることにより、挿通孔Ｂ１の両端部に第２充填材支持金具Ａ２を装着するとともに、挿通孔Ｂ１の各長辺方向中間部に第１充填材支持金具Ａ１を装着する。
【００４４】
そして、第１充填材支持金具Ａ１を挿通孔Ｂ１に装着するに際して、挿通孔Ｂ１に対応して防火用の充填材支持金具Ａ１の対向する脚部２間の間隔を長さ変更して、挿通孔Ｂ１に装着することができる。
次に、図６、図７〜図９に示すように、挿通孔Ｂ１とこれに挿通される挿通体Ｃとの間に、充填された防火用の充填材Ｄを防火用の充填材支持金具Ａ１，Ａ２で支持させて挿通孔Ｂ１を閉塞状態にして挿通孔Ｂ１を挟んだ部屋同士を防火区画することができる。
【００４５】
また、図１１、図１２に示すように、挿通孔Ｂ１とこれに挿通される挿通体Ｃとの空間が環状空間である場合、第１充填材支持金具Ａ１を受止め部１の選択された何れかの脆弱部５を破断分離して２分割し、挿通孔Ｂ１の各長辺方向中間部に分割された充填材支持金具Ａ１ａを装着して、充填された防火用の充填材Ｄを支持することができる。
【００４６】
この場合、挿通孔Ｂ１の内面と挿通体Ｃとの間の隙間が分割した支持金具Ａ１ａの受止め部１の長さよりも長い場合、図１２に示すように、受止め部１の先端側の脆弱部５を挿通体Ｃの長手方向に沿う方向に折り曲げた状態で挿通孔Ｂ１に片持ち状態で装着することによって、挿通孔Ｂ１の内面と挿通体Ｃとの間隔に対応して受止め状態を簡単に形成することができる。
【００４７】
また、図１３に示すように、掛止め部３の基端部１ａを、脚部２の先端よりも掛止め部３が受止め部１側に変位するように、脚部２及び掛止め部３に対して傾斜姿勢に構成する。詳しくは、掛止め部３の基端部３ｂには、基端に向う程、図面上において上方に位置するテーパー部３ｃが一体形成され、受止め部１に対して直角に折り曲げ形成された脚部２の上端部２ａが前記テーパー部３ｃと交差して、その交差点が掛止め部３よりも高くなっている交差部４が形成されている。
【００４８】
この場合、受止め部１の荷重によって掛止め部３が挿通孔Ｂ１の開口縁から滑りやすい状態にあり、施工中に手が接触する等の不意の外力を受けると支持金具Ａ１ａが挿通孔Ｂ１に滑り落ちたりするようなことが生じやすい傾向があるのを、掛止め部３の基端部３ｂが傾斜姿勢に構成することによって、掛止め部３の先端１ａが受止め部１の荷重を集中的に支持して挿通孔Ｂ１の開口縁から滑り難い状態を形成することができる。
【００４９】
この実施形態の第１充填材支持金具Ａ１において、脚部２と掛止め部３との境界ｄには、各長手方向に交差する方向に沿って塑性変形可能な脆弱部５が形成されているので、図１０に示すように、躯体Ｂの壁面或いは床面に、挿通孔Ｂ１の一内面が面一に連続形成されているような変則的な挿通孔Ｂ１の場合には、面一側に対応する一方の掛止め部３を壁面或いは床面に沿うように脚部２に対して折り曲げない状態とし、他方の掛止め部３を対応する脆弱部５を塑性変形して脚部２に対して外側に折り曲げる状態にして、挿通孔Ｂ１に装着可能にすることができる。
【００５０】
［第２実施形態］
この第２実施形態は上記第１実施形態と異なる点を説明し、第１実施形態と同様構成部分には同符号を附してその詳細は省略する。
【００５１】
この実施形態の第１充填材支持金具である充填材支持金具Ａ１は、図１４〜図１６に示すように、躯体Ｂに貫通形成されている挿通孔Ｂ１を横断する状態で、該挿通孔Ｂ１の内面とこれに挿通された挿通体Ｃとの間に充填される防火用の充填材Ｄを受止める受止め部１と、これの両端から挿通孔Ｂ１の貫通軸線方向に沿って延設される脚部２と、少なくとも一方の脚部２先端から挿通孔Ｂ１の開口縁に係止可能な掛止め部３から構成されている金属製の充填材支持金具であって、前記脚部２の長手方向の複数箇所には、長手方向に対して交差する方向に沿って塑性変形可能な脆弱部５が形成されている。
【００５２】
前記脚部２の脆弱部５は、例えば、長手方向に対して交差する方向に沿って一対の貫通孔５ａを横並び形成することにより、貫通孔５ａ間に形成される幅狭な板部２ｃと、各貫通孔５ａと受止め部１の長手方向に交差する端部に外側に向けて開口された切欠５ｃとの間に形成される幅狭な板部２ｃとから構成されて、この脆弱部５と異なる他の受止め部部分よりも塑性変形しやすい構造になっている。
【００５３】
このように構成されることによって、第１充填材支持金具Ａ１を挿通孔Ｂ１に装着するに際して、挿通孔Ｂ１に対応して防火用の充填材支持金具Ａ１の対向する両脚部２の貫通軸線に沿う方向の長さＬ２を変更調整して、挿通孔Ｂ１の貫通軸線に沿う方向の長さに対応して装着することができる。
【００５４】
この実施形態の充填材支持金具Ａ１では、脚部２の長手方向中央に３つの脆弱部５が形成され、脚部２の長手方向中央部分を折り曲げ可能に構成されており、挿通孔Ｂ１の貫通軸線に沿う方向の長さ対応した長さに脚部２を変更して装着することができる。
【００５５】
挿通孔Ｂ１に充填材Ｄを充填した状態では、脚部２の折り曲げ部分と挿通孔Ｂ１の内面Ｂａとの間に空間（図面では断面三角形状の空間）ができるが、図面上、この空間の上下には充填された充填材Ｄが存在して閉ざされており、挿通孔Ｂ１の閉塞状態を妨げることがない構成になっている。また、空間に充填材を充填してもよい。
【００５６】
［第３実施形態］
この第２実施形態は上記第１実施形態と異なる点を説明し、第１実施形態と同様構成部分には同符号を附してその詳細は省略する。
【００５７】
この実施形態の第１充填材支持金具である充填材支持金具Ａ１は、図１７〜図１９に示すように、躯体Ｂに貫通形成されている挿通孔Ｂ１を横断する状態で、該挿通孔Ｂ１の内面とこれに挿通された挿通体Ｃとの間に充填される防火用の充填材Ｄを受止める受止め部１と、これの両端から挿通孔Ｂ１の貫通軸線方向に沿って延設される脚部２と、少なくとも一方の脚部２先端から挿通孔Ｂ１の開口縁に係止可能な掛止め部３から構成されている金属製の充填材支持金具であって、前記受止め部１の長手方向の複数箇所には、長手方向に対して交差する方向に沿って塑性変形可能な脆弱部５が形成されているとともに、前記脚部２の長手方向の複数箇所には、長手方向に対して交差する方向に沿って塑性変形可能な脆弱部５が形成されている。
【００５８】
前記受止め部１の脆弱部５は、例えば、長手方向に対して交差する方向に沿って一対の貫通孔５ａを横並び形成することにより、貫通孔５ａ間に形成される幅狭な板部１ｂと、各貫通孔５ａと受止め部１の長手方向に交差する端部に外側に向けて開口された切欠５ｃとの間に形成される幅狭な板部１ｂとから構成されて、この脆弱部５と異なる他の受止め部部分よりも塑性変形しやすい構造になっている。
【００５９】
前記脚部２の脆弱部５は、例えば、長手方向に対して交差する方向に沿って一対の貫通孔５ａを横並び形成することにより、貫通孔５ａ間に形成される幅狭な板部２ｃと、各貫通孔５ａと受止め部１の長手方向に交差する端部との間に形成される幅狭な板部２ｃとから構成されて、この脆弱部５と異なる他の部分よりも塑性変形しやすく、折り曲げ又は破断分離可能に構成されている。
【００６０】
このように構成されることによって、第１充填材支持金具Ａ１を挿通孔Ｂ１に装着するに際して、挿通孔Ｂ１に対応して防火用の充填材支持金具Ａ１の対向する脚部２間の間隔Ｌ１を変更して、挿通孔Ｂ１に装着することができるとともに、第１充填材支持金具Ａ１を挿通孔Ｂ１に装着するに際して、挿通孔Ｂ１に対応して防火用の充填材支持金具Ａ１の対向する両脚部２の貫通軸線に沿う方向の長さ寸法Ｌ２を変更して、挿通孔Ｂ１の貫通軸線に沿う方向の長さに対応して長さにして装着することができる。
【００６１】
［別実施形態］
１）上記実施形態では、躯体Ｂの床孔である挿通孔Ｂ１に対して装着可能な充填材支持金具Ａ１を説明したが、本発明はこれに限らず、躯体Ｂの壁孔である挿通孔Ｂ１に対して装着可能な充填材支持金具に適用してもよい。
また、孔経路長さが在るような挿通孔Ｂ１の場合、このような挿通孔Ｂ１の一方の開口側と他方の開口側との夫々に充填材支持金具を装着するものであってもよい。この場合、装着された填材支持具より奥側に防火用の充填材Ｄを充填する無駄を回避することができる。
さらに、上記実施形態の挿通孔Ｂ１は断面矩形形状のものについて説明したが、本発明はこれに限らず、断面円形の挿通孔に装着するものであってもよい。
【００６２】
２）上記各実施形態の脆弱部５は、貫通孔５ａを形成することにより構成されている例を説明したが、本発明はこれに限らず、図２１に示すように、受止め部１又は脚部２の長手方向に交差する両端縁に外側に開口が向く切欠５ｂを形成して、その両切欠間の板部１ｄ、２ｄを他の部分よりも塑性変形しやすくして脆弱部５を形成するものであってもよい。
【００６３】
この場合、図２１（イ）、（ロ）に示すように、端縁部に浅い切欠５ｂから構成しても、同図（ハ）端縁部から内側に深い切欠５ｂから構成されていてもよい。
また、図２１（ニ）に示すように、受止め部１又は脚部２の長手方向に交差する方向に沿って一つの長孔５ｃを形成し、この長孔５ｃと端部１ｅ，２ｅとの間の板部１ｆ，２ｆを他の部分よりも塑性変形しやすくして脆弱部５を形成するものであってもよい。
【００６４】
３）上記実施形態では、受止め部１と脚部２との境界ｃ、及び、脚部２と掛止め部３との境界ｄに、各長手方向に対して交差する方向に沿って塑性変形可能な脆弱部５が形成されたものについて説明したが、本発明はこれに限らず、図２２に示すように、一方の受止め部１と脚部２との境界ｃのみに脆弱部５が形成される構成であっても、図２３に示すように、他方の脚部２と掛止め部３との境界ｄにのみに脆弱部５が形成される構成であってもよい。
【００６５】
４）上記実施形態では、防火用充填材支持金具Ａに第１充填材支持金具Ａ１と第２充填材支持金具Ａ２を用いて防火用の充填材Ｄを支持するものについて説明したが、図２０に示すように、第１充填材支持金具Ａ１のみを用いて充填材Ｄの支持を実施するものであってもよい。
【図面の簡単な説明】
【００６６】
【図１】第１充填材支持金具（充填材支持金具）を示す斜視図
【図２】第１充填材支持金具を示す平面図
【図３】脆弱部を示す要部平面図
【図４】第１充填材支持金具を示す断面図
【図５】挿通孔と挿通体と充填材支持金具とを示す簡略分解斜視図
【図６】挿通孔に充填材を充填した状態を示す簡略分解斜視図
【図７】挿通孔と挿通体と充填材支持金具とを示す簡略分解斜視図
【図８】充填材支持金具によって防火用充填材が支持された状態を示す簡略断面図
【図９】充填材支持金具によって防火用充填材が支持された状態を示す簡略断面図
【図１０】充填材支持金具によって防火用充填材が支持された状態を示す簡略断面図
【図１１】充填材支持金具によって防火用充填材が支持された状態を示す簡略断面図
【図１２】充填材支持金具によって防火用充填材が支持された状態を示す簡略断面図
【図１３】挿通孔に充填材支持金具装着した状態を示す平面図
【図１４】分割された第１充填材支持金具を挿通孔に仮置き状態にした状態を示す断面図
【図１５】第２実施形態の第１充填材支持金具を示す平面図
【図１６】第２実施形態の第１充填材支持金具を示す断面図
【図１７】第２実施形態の充填材支持金具によって防火用充填材が支持された状態を示す簡略断面図
【図１８】第３実施形態の第１充填材支持金具を示す平面図
【図１９】第３実施形態の第１充填材支持金具を示す断面図
【図２０】第３実施形態の充填材支持金具によって防火用充填材が支持された状態を示す簡略断面図
【図２１】挿通孔に充填材支持金具装着した状態を示す平面図
【図２２】脆弱部の複数の変形例を示す要部平面図
【図２３】別実施形態の充填材支持金具を示す平面図
【図２４】別実施形態の充填材支持金具を示す平面図
【図２５】従来の充填材支持金具を示す簡略断面図
【符号の説明】
【００６７】
Ａ１          第１充填材支持金具（充填材支持金具）
Ｂ            躯体
Ｂ１          挿通孔
Ｃ          挿通体
Ｄ          防火用の充填材
Ｓ          環状隙間
１          受止め部
２          脚部
３          掛止め部
４          掛止め部
５          脆弱部
【図１】
2007255073.tif 000003
【図２】
2007255073.tif 000004
【図３】
2007255073.tif 000005
【図４】
2007255073.tif 000006
【図５】
2007255073.tif 000007
【図６】
2007255073.tif 000008
【図７】
2007255073.tif 000009
【図８】
2007255073.tif 000010
【図９】
2007255073.tif 000011
【図１０】
2007255073.tif 000012
【図１１】
2007255073.tif 000013
【図１２】
2007255073.tif 000014
【図１３】
2007255073.tif 000015
【図１４】
2007255073.tif 000016
【図１５】
2007255073.tif 000017
【図１６】
2007255073.tif 000018
【図１７】
2007255073.tif 000019
【図１８】
2007255073.tif 000020
【図１９】
2007255073.tif 000021
【図２０】
2007255073.tif 000022
【図２１】
2007255073.tif 000023
【図２２】
2007255073.tif 000024
【図２３】
2007255073.tif 000025
【図２４】
2007255073.tif 000026
【図２５】
2007255073.tif 000027